(57)【要約】【課題】リモコン装置を取り付ける壁面内に導電部材が存在すると、リモコンの電波出力レベルが低下して制御信号が被制御対象の電子装置に届かないことがあった。【解決手段】  壁面に着脱自在に取り付けられると共に、電波信号によって電子装置を制御することができるリモコン装置において、壁面への取り付け時にこの壁面と略平行に位置し、電波信号を出力するための無線回路が設けられた基板と、基板に略垂直な垂直部を設けたループアンテナと、を備え、無線回路はループアンテナに信号を出力するようにした。【選択図】図６
2006217435.tif 000002
【特許請求の範囲】
【請求項１】
壁面に着脱自在に取り付けられると共に、電波信号によって電子装置を制御することができるリモコン装置において、
前記壁面への取り付け時にこの壁面と略平行に位置し、前記電波信号を出力するための無線回路が設けられた基板と、
前記基板に略垂直な垂直部を設けたループアンテナと、を備え、
前記無線回路は前記ループアンテナに信号を出力することを特徴とするリモコン装置。
【請求項２】
前記ループアンテナは、前記垂直部と接続され前記基板に略平行な平行部を備えたことを特徴とする請求項１に記載のリモコン装置。
【請求項３】
前記平行部は、前記基板に配線パターンとして形成されたことを特徴とする請求項２に記載のリモコン装置。
【請求項４】
前記基板と略垂直に接続される第２の基板を有し、
前記垂直部は第２の基板に配線パターンとして形成されたことを特徴とする請求項１〜３のいずれか１項に記載のリモコン装置。
【請求項５】
前記基板及び前記第２の基板には、それぞれコネクタを有し、これらのコネクタを接続することによって、前記基板と前記第２の基板を略垂直に形成することを特徴とする請求項４に記載のリモコン装置。
【請求項６】
前記ループアンテナには、前記垂直部から延長され、かつ前記基板と略平行な第２の平行部が形成されることを特徴とする請求項２に記載のリモコン装置。
【請求項７】
前記ループアンテナは樹脂フィルムで保護された細長の薄膜導体から形成されることを特徴とする請求項１，２，６のいずれか１項に記載のリモコン装置。
【請求項８】
請求項１〜７のいずれか１項に記載のリモコン装置と、同リモコン装置の電波信号によって制御される電子装置からなるトイレ機器システム。
【請求項９】
請求項１〜７のいずれか１項に記載のリモコン装置と、同リモコン装置の電波信号によって制御される電子装置からなる浴室機器システム。
【発明の詳細な説明】
【技術分野】
【０００１】
リモコン装置、特に洗浄便座装置などの電子装置を電波信号によって制御するリモコン装置及びそれを用いるトイレ機器システムや浴室機器システムに関する。
【背景技術】
【０００２】
近年、トイレの便器には、その快適さから、洗浄機能、乾燥機能、脱臭機能などの各種機能を有する洗浄便座装置が取り付けられてきている。そして、このような洗浄便座装置の操作パネルに集約された操作ボタンを利用者が押下することによって、それらの機能が作動するようになっている。
【０００３】
この操作パネルは、従来、洗浄便座装置上に配置されるものが多かったが、最近は洗浄便座装置本体とは別にリモコン装置を設けられるものが主流となってきている。
【０００４】
そして、利用者がこのリモコン装置上に配置された操作ボタンを操作することよって、リモコン装置からの制御信号が赤外線により洗浄便座装置本体へ送られ、その信号を受信した洗浄便座装置本体によって制御信号に応じた制御を行っている。
【０００５】
しかしながら、このようなリモコン装置においては、赤外線出力用のＬＥＤによって、赤外線による通信を行っていたため、その通信による消費電力が大きかった。
【０００６】
したがって、容量の大きな電池を使わざるを得ず、リモコン装置を小さくすることが困難であった。
【０００７】
このような赤外線による通信の問題点を解決するために、電子機器を制御するリモコン装置において、電波を用いた無線通信を利用するものが提案されている（たとえば、特許文献１参照。）。
【０００８】
電波を用いた無線通信は、赤外線通信に比べて消費電力を低減することができるという利点がある。
【０００９】
そして、このような電波を用いたリモコンのアンテナは、デザイン上の美観を向上させるために、内蔵アンテナを用いている（たとえば、特許文献２参照。）。
【特許文献１】特開２００２−３５３９４３号公報
【特許文献２】特開平１０−１４５８７６号公報
【発明の開示】
【発明が解決しようとする課題】
【００１０】
ところが、上述の特許文献２に記載されているような、電波を用いて無線通信するリモコン装置を洗浄便座装置などのトイレ機器システムに適用した場合、次のような問題が生じる。
【００１１】
洗浄便座装置のリモコン装置は、洗浄便座装置が設置された便器近辺の壁面に着脱自在に取り付けられるのが一般的であるが、洗浄便座装置が設置されるトイレブースによっては、その壁面を塩ビ鋼板としているものがある。例えば、ビジネスホテルなどのトイレ付きユニットバスなどである。
【００１２】
そして、このような塩ビ鋼板で形成された壁面にリモコン装置を取り付けると、リモコン装置の内蔵アンテナが塩ビ鋼板に平行に近接して配置されることになる。
【００１３】
このようにリモコン装置の内蔵アンテナが塩ビ鋼板に平行に近接しているため、内蔵アンテナから放出される電波がこの塩ビ鋼板で短絡され、内蔵アンテナからの電波の出力レベルが低下する。その結果、リモコン装置からの制御信号を洗浄便座装置において受信することができなくなってしまうという問題が生じてしまう。
【００１４】
そこで、本発明は、リモコン装置を取り付ける壁に鋼板などの導電部材が存在する場合であっても、電波の出力レベル低下を抑えることができるリモコン装置を提供することを目的とする。
【課題を解決するための手段】
【００１５】
上記問題を解決するために、請求項１に記載の発明は、壁面に着脱自在に取り付けられると共に、電波信号によって電子装置を制御することができるリモコン装置において、前記壁面への取り付け時にこの壁面と略平行に位置し、前記電波信号を出力するための無線回路が設けられた基板と、前記基板に略垂直な垂直部を設けたループアンテナとを備え、前記無線回路は前記ループアンテナに信号を出力することを特徴とする。
【００１６】
また、請求項２に記載の発明は、請求項１に記載の発明において、前記ループアンテナは、前記垂直部と接続され前記基板に略平行な平行部を備えたことを特徴とする。
【００１７】
また、請求項３に記載の発明は、請求項２に記載の発明において、前記平行部は、前記基板に配線パターンとして形成されたことを特徴とする。
【００１８】
また、請求項４に記載の発明は、請求項１〜３のいずれか１項に記載の発明において、前記基板と略垂直に接続される第２の基板を有し、前記垂直部は第２の基板に配線パターンとして形成されたことを特徴とする。
【００１９】
また、請求項５に記載の発明は、請求項４に記載の発明において、前記基板及び前記第２の基板には、それぞれコネクタを有し、これらのコネクタを接続することによって、前記基板と前記第２の基板を略垂直に形成することを特徴とする。
【００２０】
また、請求項６に記載の発明は、請求項２に記載の発明において、前記ループアンテナには、前記垂直部から延長され、かつ前記基板と略平行な第２の平行部が形成されることを特徴とする。
【００２１】
また、請求項７に記載の発明は、請求項１，２，６のいずれか１項に記載の発明において、前記ループアンテナは樹脂フィルムで保護された細長の薄膜導体から形成されることを特徴とする。
【００２２】
また、請求項８に記載の発明は、請求項１〜７のいずれか１項に記載のリモコン装置と、同リモコン装置の電波信号によって制御される電子装置からなるトイレ機器システムであることを特徴とする。
【００２３】
また、請求項９に記載の発明は、請求項１〜７のいずれか１項に記載のリモコン装置と、同リモコン装置の電波信号によって制御される電子装置からなる浴室機器システムであることを特徴とする。
【発明の効果】
【００２４】
請求項１に記載の発明によれば、壁面に着脱自在に取り付けられると共に、電波信号によって電子装置を制御することができるリモコン装置において、前記壁面への取り付け時にこの壁面と略平行に位置し、前記電波信号を出力するための無線回路が設けられた基板と、前記基板に略垂直な垂直部を設けたループアンテナと、を備え、前記無線回路は前記ループアンテナに信号を出力するので、塩ビ鋼板等によって形成されている壁面にリモコン装置を取り付けた場合であっても、ループアンテナが壁面と略垂直であるため、壁面内の導電部材による影響を抑えることが可能となる。
【００２５】
また、請求項２に記載の発明によれば、前記ループアンテナは、前記垂直部と接続され前記基板に略平行な平行部を備えたので、平行部と垂直部とでループアンテナを分割することができ、垂直部の面積を小さくすることができる。
【００２６】
また、請求項３に記載の発明によれば、前記平行部は、前記基板に配線パターンとして形成されたので、容易にアンテナを形成することが可能となる。
【００２７】
また、請求項４に記載の発明によれば、前記基板と略垂直に接続される第２の基板を有し、前記垂直部は第２の基板に配線パターンとして形成されたので、容易にアンテナを形成することが可能となる。
【００２８】
また、請求項５に記載の発明によれば、前記基板及び前記第２の基板には、それぞれコネクタを有し、これらのコネクタを接続することによって、前記基板と前記第２の基板を略垂直に形成するので、ループアンテナの平行部と垂直部の接続が容易になると共に、その交換も容易となる。
【００２９】
また、請求項６に記載の発明によれば、前記ループアンテナには、前記垂直部から延長され、かつ前記基板と略平行な第２の平行部が形成されるので、塩ビ鋼板等によって形成されている壁面にリモコン装置を取り付けた場合であっても、２つの平行部のいずれかが壁面からより離隔されることになり、壁面内の導電部材による影響を抑えることが可能となる。
【００３０】
また、請求項７に記載の発明によれば、前記ループアンテナは樹脂フィルムで保護された細長の薄膜導体から形成されるので、アンテナの取り付けが容易となる。
【００３１】
また、請求項８に記載の発明によれば、トイレ機器システムにおいて、塩ビ鋼板等によって形成されている壁面にリモコン装置を取り付けた場合であっても、ループアンテナが壁面と略垂直であるため、壁面内の導電部材による影響を抑えることが可能となる。
【００３２】
また、請求項９に記載の発明によれば、浴室機器システムにおいて、塩ビ鋼板等によって形成されている壁面にリモコン装置を取り付けた場合であっても、ループアンテナが壁面と略垂直であるため、壁面内の導電部材による影響を抑えることが可能となる。
【発明を実施するための最良の形態】
【００３３】
（実施の形態１）
以下、本発明の実施の形態１について、図面を参照しながら説明する。
【００３４】
図１はトイレブースに設置された本発明の実施形態１に係る洗浄便座装置及びそれを制御するリモコン装置からなる洗浄便座システムを示す図、図２は本発明の実施形態１に係るリモコン装置のブロック構成図、図３は本発明の実施形態１に係るリモコン装置の側面図、図４は本発明の実施形態１に係るリモコン装置の正面図である。
【００３５】
図１に示すように、本発明の実施形態１における洗浄便座システムＳは、トイレブースに設置された洗浄便座装置１とリモコン装置２とから構成される。
【００３６】
洗浄便座装置１は、便器３上に設置され、各種機能を制御するための制御部等を有する洗浄便座装置本体４と、洗浄便座装置本体４に回動可能に連結された便座５と、同じく洗浄便座装置本体４に回動可能に連結された便蓋６とから構成される。
【００３７】
洗浄便座装置本体４は、洗浄機能、乾燥機能、脱臭機能、便座保温機能など各種機能を動作させる本体制御部（図示せず）を有し、さらにリモコン装置２から電波として出力される制御信号（以下、「電波信号」とする。）を受信する受信アンテナ及び電波受信部を備えている。
【００３８】
そして、洗浄便座装置本体４は、リモコン装置２から送信される電波信号を、受信アンテナを介して電波受信部で受信すると、その電波信号に従った制御を行うようになっている。
【００３９】
一方、リモコン装置２は、図２に示すように、各種洗浄機能ボタン、乾燥ボタン、洗浄パワー制御ボタン、マッサージボタンなどの各種スイッチ部２２と、時刻や制御内容を表示するための表示部２３と、各種設定内容などを記憶する記憶部２４と、洗浄便座装置本体４へ制御信号を電波として送信するために、制御信号を変調・増幅する無線回路２５と、リモコン装置２全体の制御を統括する制御部２６と、無線回路２５に接続され、無線回路２５によって変調・増幅された制御信号を電波信号として洗浄便座装置本体４へ送信するためのアンテナ２９とから構成される。
【００４０】
また、リモコン装置２は、図３に示すように、その筐体背面に設けられた係止部２１が、塩ビやポリエステル系樹脂を印刷又は張り合わせた鋼板等の導電部材で形成されたトイレブースの壁面１０に取り付けられたホルダ７の係止部７１とで係合することによって、壁面１０に着脱自在に取り付けられている。
【００４１】
なお、リモコン装置２は、図４に示すように、略箱状の形状をしており、その筐体前面には、操作パネルとして各種スイッチ部２２や表示部２３などが設けられている。
【００４２】
以上のように構成されているリモコン装置２のアンテナ２９及びその配置につき、図面を参照しながら以下具体的に説明する。
【００４３】
図５は本発明の実施形態１に係るリモコン装置の断面図、図６は本発明の実施形態１に係るアンテナ構成を示す図である。
【００４４】
リモコン装置２は、図５に示すように、ボタンや表示部が配置される前面カバー３１と壁面１０への取り付け時に壁面１０と対向する背面カバー３２とからなる箱状の筐体３０と、その筐体３０内に配置され、前面カバー３１に取り付けられる基板３３等を備えている。なお、リモコン装置２を壁面１０に取り付け時、この基板３３は壁面１０に略平行に位置する。
【００４５】
そして、この基板３３の表面側（前面カバー３１側）に、スイッチ部２２及び表示部２３が設けられており、又その裏面側（背面カバー３２側）には、ＲＯＭやＲＡＭなどの記憶部２４、無線回路２５、制御部２６、アンテナ用コネクタ３５が設けられている。
【００４６】
そして、アンテナ２９は、基板３３の裏面上に設けられたアンテナ用コネクタ３５に、アンテナ２９の一端部に形成された接続部２９ａを挿入することにより、基板上に設けられた無線回路２５とアンテナ２９とが接続されるようになっている。
【００４７】
ここで、アンテナ２９は、図６に示すように、細長の薄膜導体２９ｅによって、ループアンテナが形成されており、樹脂フィルムで保護されている（以下、樹脂フィルムと一体化された状態で「樹脂製フレキ基板」と称す。）。
【００４８】
そして、アンテナ２９は、略Ｌ字型に形成されており、基板３３と略平行に位置し、アンテナ用コネクタ３５に接続される接続部２９ａと、接続部２９ａと同様に基板３３と略平行に位置し、この接続部２９ａから延設された平行部２９ｂと、基板３３と略垂直に位置し、平行部２９ｂから屈曲して延設された垂直部２９ｃとを有している。
【００４９】
このように、アンテナ２９には、壁面１０に略平行な平行部２９ｂに加え、壁面１０に略垂直な垂直部２９ｃが形成されているため、壁面１０内の導電部材によって平行部２９ｂからの出力が低下しても、垂直部２９ｃから出力される電波によって、洗浄便座装置本体４の制御を行うことができる。
【００５０】
すなわち、平行部２９ｂの薄膜導体から出力される電波は、薄膜導体と垂直方向へ出力されるものの、壁面１０内の導電部材が近接しており、しかも、その導電部材は平行部２９ｂに略平行に存在しているため、その壁面１０内の導電部材によって電波が短絡され、その電波の強度が低下する。
【００５１】
一方、垂直部２９ｃの薄膜導体から出力される電波は、壁面１０と略平行に出力されるため、その壁面１０内の導電部材による電波の短絡を抑えることができ、その壁面１０内の導電部材による影響をあまり受けない。
【００５２】
したがって、リモコン装置２が導電部材を有する壁面１０に取り付けられた場合であっても、アンテナ２９の垂直部２９ｃからの電波によって、洗浄便座装置本体４の制御を行うことができる。
【００５３】
しかも、アンテナ用コネクタ３５を介して樹脂製フレキ基板で形成されたループアンテナをそのアンテナとしているため、基板３３上でアンテナが占有する部分を設ける必要がなく、基板の面積を小さくすることができる。
【００５４】
なお、前面カバー３１には、アンテナの垂直部２９ｃを収容するための、アンテナ収容部３７が設けられている。
【００５５】
このため、垂直部２９ｃを安定的に略垂直に保持することでき、しかも垂直部２９ｃを基板等と離隔することができるため、アンテナ２９の損傷を回避することができる。
【００５６】
また、アンテナ２９が樹脂製フレキ基板で形成されていることから、基板３３を前面カバー３１に取り付けた後であっても、容易にアンテナ２９をリモコン装置２に取り付けることができ、又修理等のためにアンテナ２９を交換することも容易となる。
【００５７】
なお、本実施の形態１では、アンテナ２９は、接続部２９ａ、平行部２９ｂ及び垂直部２９ｃとを有することとしたが、図７に示すように、平行部２９ｂを設けずに接続部２９ａと垂直部２９ｃとから構成するようにしてもよい。
【００５８】
このように構成することによって、その壁面１０内の導電部材による電波の短絡を抑えることができるので、その壁面１０内の導電部材による影響をあまり受けず、壁面１０への取り付けや取り外しにかかわらず、安定的に電波を出力することができる。
【００５９】
（実施の形態２）
本実施の形態２のリモコン装置２は、実施の形態１のリモコン装置２のうち、アンテナ２９及び前面カバー３１のアンテナ収容部３７に変更を加えたものであり、その他の部分については実施の形態１と同様のため、説明を省略する。
【００６０】
図８は本発明の実施形態２に係るリモコン装置の断面図、図９は本発明の実施形態２に係るアンテナ構成を示す図である。
【００６１】
アンテナ２９は、図９に示すように、樹脂製フレキ基板によってループアンテナが形成されている。
【００６２】
また、アンテナ２９は、略コ字型に形成されており、基板３３と略平行に位置し、アンテナ用コネクタ３５に接続される接続部２９ａと、接続部２９ａと同様に基板３３と略平行に位置し、この接続部２９ａから延設された平行部２９ｂと、基板３３と略垂直に位置し、平行部２９ｂから屈曲して延設された垂直部２９ｃと、基板３３と略平行に位置し、垂直部２９ｃから屈曲して延設された第２の平行部２９ｄを有している。
【００６３】
このように、アンテナ２９には、第２の平行部２９ｄが形成されており、この第２の平行部２９ｄは平行部２９ｂに比べて壁面１０からの距離が遠いため、平行部２９ｂよりも壁面１０内の導電部材による影響がすくなく、アンテナ２９のうち壁面１０と平行な部分からの電波の出力レベルを向上させることができる。
【００６４】
なお、前面カバー３１には、アンテナの垂直部２９ｃ及び第２の平行部２９ｄを収容するためのアンテナ収容部３７が設けられている。
【００６５】
このため、垂直部２９ｃを安定的に略垂直に、また第２の平行部２９ｄを略平行に保持することでき、しかも垂直部２９ｃ及び第２の平行部２９ｄを基板３３等と離隔することができるため、アンテナ２９の損傷を回避することができる。
【００６６】
また、アンテナ収容部３７を設けずに、図１０に示すように、前面カバー３１の内面に沿って、垂直部２９ｃ及び第２の平行部２９ｄを両面テープ等の接着部材３６によって固定するようにしてもよい。このことは、実施形態１でも同様である。
【００６７】
このようにすれば、アンテナ２９のためのアンテナ収容部３７を特別に設けなくても、アンテナ２９をリモコン装置２に固定することができ、前面カバー３１の前面内側と基板３３との間の間隔が、第２の平行部２９ｄと両面テープとの厚さより少し厚めの間隔さえ保てばよいため、リモコン装置２を薄型化及び小型化できる。
【００６８】
なお、本実施の形態２では、アンテナ２９は、接続部２９ａ、平行部２９ｂ、垂直部２９ｃ、第２の平行部２９ｄとを有することとしたが、図１１に示すように、平行部２９ｂを設けずに接続部２９ａ、垂直部２９ｃ及び第２の平行部２９ｄとから構成するようにしてもよい。
【００６９】
このようにすることで、アンテナ２９には、アンテナ２９のうち壁面１０と平行な部分を壁面１０から遠ざけることができ、この壁面１０と平行な部分からの電波の出力レベルを向上させることができる。
【００７０】
（実施の形態３）
本実施の形態３のリモコン装置２は、実施の形態１のリモコン装置２のうち、アンテナ２９、基板３３及び前面カバー３１に変更を加えたものであり、その他の部分については実施の形態１と同様のため、説明を省略する。
【００７１】
図１２は本発明の実施形態３に係るリモコン装置の断面図、図１３〜図１７は本発明の実施形態３に係るアンテナ構成を示す図である。
【００７２】
アンテナ２９は、図１２、図１３に示すように、前面カバー３１の操作面と平行な面の平行部３３ａとして基板３３の裏面側に形成されると共に、前面カバー３１の操作面と垂直な面の垂直部３８ａとして、サブ基板３８に配線パターンとして形成されたアンテナ（以下、このように基板に配線パターンとして形成されるアンテナを「パターンアンテナ」とする。）が形成されている。
【００７３】
そして、基板３３とサブ基板３８とはそれぞれに設けられたコネクタ３７ａ、３７ｂどうしを接続することにより接続され、その結果、基板３３とサブ基板３８とに形成されたパターンアンテナである平行部３３ａ、垂直部３８ａによって一つのループアンテナが形成されるようになっている。なお、これらのコネクタ３７ａ、３７ｂが接続されている状態では、図１３に示すように、コネクタ３７ａがコネクタ３７ｂに覆われている。
【００７４】
このように、アンテナ２９には、壁面１０に平行なパターンアンテナで形成された平行部３３ａに加え、壁面１０に垂直なパターンアンテナで形成された垂直部３８ａを有しているため、壁面１０内の導電部材によって平行部３３ａからの出力が低下しても、垂直部３８ａから出力される電波によって、洗浄便座装置本体４の制御を行うことができる。
【００７５】
すなわち、壁面１０に平行な平行部３３ａのパターンアンテナから出力される電波は、パターンと垂直方向へ出力されるものの、壁面１０内の導電部材が近接しており、しかも、その導電部材は平行部２９ｂに略平行に存在しているため、その壁面１０内の導電部材によって電波が短絡され、その電波の強度が低下する。
【００７６】
一方、壁面１０に垂直な垂直部３８ａのパターンアンテナのうち、基板３３と略垂直なパターンから出力される電波は、壁面１０と略平行に出力されるため、その壁面１０内の導電部材による電波の短絡を抑えることができ、その壁面１０内の導電部材による影響をあまり受けない。
【００７７】
したがって、リモコン装置２が導電部材を有する壁に取り付けられた場合であっても、アンテナ２９の垂直部３８ａからの電波によって、洗浄便座装置本体４の制御を行うことができる。
【００７８】
なお、本実施の形態３では、アンテナ２９は、基板３３に平行部３３ａを設けることとしたが、サブ基板３８に設けた垂直部３８ａのみを設けるようにしてもよい。
【００７９】
このように構成することによって、その壁面１０内の導電部材による電波の短絡を抑えることができるため、その壁面１０内の導電部材による影響をあまり受けず、壁面１０への取り付けや取り外しにかかわらず、安定的に電波を出力することができる。
【００８０】
なお、基板３３の表面側に平行部３３ａを設けるようにしてもよい。
【００８１】
このようにすれば、基板３３の裏面側にパターンアンテナを設けるのに比べ、壁面１０と平行なアンテナを壁面１０から遠ざけることができるため、リモコン装置２の壁面１０への取り付け時に、平行部３３ａからの電波の出力低下を低減することができる。
【００８２】
また、基板３３とサブ基板３８の両方にコネクタ３７ａ、３７ｂを設けることとしたが、図１４に示すように、基板３３のみにコネクタ３７aを設けるようにしてもよい。この場合、サブ基板３８の端部には、コネクタの端子と接触させるための端子を設けるようにする。
【００８３】
さらに、図１５に示すように、サブ基板３８の代わりに、コ字状に立設させた金属部材をアンテナとするようにし、基板３３のスルーホール等に挿入して半田付けするようにしてもよい。
【００８４】
また、図１６に示すように、リモコン装置２の操作ボタン３９を複数配置する基板をサブ基板３８として、基板３３に接続するようにしてもよい。すなわち、複数の操作ボタン３９を配列すると共に、その複数の操作ボタン３９の周りを囲むようにループ状のパターンアンテナを形成した基板をサブ基板３８とし、このサブ基板３８と基板３３とをコネクタ等で接続すると共に、サブ基板３８が基板３３と略垂直になるように筐体３０内に配置されるようにする。
【００８５】
このように操作ボタン３９を配置する基板をサブ基板３８とするため、別途新たな基板を設ける必要がなく、極めて容易にアンテナの垂直部を形成することができる。
【００８６】
以上、実施の形態１〜３と分けて説明したが、適宜組み合わせることも可能である。
【００８７】
例えば、実施の形態１の樹脂製フレキ基板を実施の形態３のサブ基板の代わりと使うがごとくである。
【００８８】
また、本発明の実施形態１〜３においては、トイレ機器システムについて説明したがこれに限られず、リモコン装置によって遠隔的に制御できる電子機器であれば、浴室機器システムのようなものであっても構わない。
【００８９】
以下、本発明を浴室機器システムに適用した場合について、簡単に説明する。
【００９０】
図１７は、浴室に設置された本発明の実施形態に係る浴室乾燥機及びそれを制御するリモコン装置からなる浴室機器システムを示す図である。
【００９１】
浴室機器システムは、図１７に示すように、乾燥機本体１０１及び通風ダクト１０２などを有する浴室乾燥機１００と、この乾燥機本体１０１を制御するためのリモコン装置１２０とから構成される。なお、図１７中の１１２は、浴室に設けられた浴槽である。
【００９２】
そして、リモコン装置１２０から乾燥機本体１０１を制御することによって、乾燥機本体１０１から乾燥風を吐出させ、物干し棒１１０に掛けられた衣服１１１を乾燥させる。
【００９３】
ここで、浴室の壁面１３０は、上述のトイレと同様、塩ビ鋼板など導電部材を有している。
【００９４】
したがって、図１７に示すように、リモコン装置１２０を浴室の壁面１３０に取り付けることによって、アンテナからの電波の出力レベルが低下する。
【００９５】
このような場合であっても、この浴室機器システムのリモコン装置１２０を、上述したトイレ機器システムのリモコン装置２と同様に、壁面１３０への取り付け時にこの壁面１３０と略平行に位置し、無線回路が設けられた基板と略垂直にアンテナを設けることによって、電波の出力レベルの低下を抑制することが可能となる。
【図面の簡単な説明】
【００９６】
【図１】トイレブースに設置された本発明の実施形態１に係る洗浄便座装置及びそれを制御するリモコン装置からなる洗浄便座システムを示す図である。
【図２】本発明の実施形態１に係るリモコン装置のブロック構成図である。
【図３】本発明の実施形態１に係るリモコン装置の側面図である。
【図４】本発明の実施形態１に係るリモコン装置の正面図である。
【図５】本発明の実施形態１に係るリモコン装置の断面図である。
【図６】本発明の実施形態１に係るアンテナ構成を示す図である。
【図７】本発明の実施形態１に係るアンテナ構成を示す図である。
【図８】本発明の実施形態２に係るリモコン装置の断面図である。
【図９】本発明の実施形態２に係るアンテナ構成を示す図である。
【図１０】本発明の実施形態２に係るアンテナ構成を示す図である。
【図１１】本発明の実施形態２に係るアンテナの取り付け状態を示す断面図である。
【図１２】本発明の実施形態３に係るリモコン装置の断面図である。
【図１３】本発明の実施形態３に係るアンテナ構成を示す図である。
【図１４】本発明の実施形態３に係るアンテナ構成を示す図である。
【図１５】本発明の実施形態３に係るアンテナ構成を示す図である。
【図１６】本発明の実施形態３に係るアンテナ構成を示す図である。
【図１７】浴室に設置された発明の実施形態に係る浴室乾燥機及びそれを制御するリモコン装置からなる浴室機器システムを示す図である。
【符号の説明】
【００９７】
１  洗浄便座装置
２  リモコン装置
４  洗浄便座装置本体
１０  壁面
２５  無線回路
２９  送信用アンテナ
３３  基板
３５  アンテナ用コネクタ
３８  サブ基板
【図１】
2006217435.tif 000003
【図２】
2006217435.tif 000004
【図３】
2006217435.tif 000005
【図４】
2006217435.tif 000006
【図５】
2006217435.tif 000007
【図６】
2006217435.tif 000008
【図７】
2006217435.tif 000009
【図８】
2006217435.tif 000010
【図９】
2006217435.tif 000011
【図１０】
2006217435.tif 000012
【図１１】
2006217435.tif 000013
【図１２】
2006217435.tif 000014
【図１３】
2006217435.tif 000015
【図１４】
2006217435.tif 000016
【図１５】
2006217435.tif 000017
【図１６】
2006217435.tif 000018
【図１７】
2006217435.tif 000019